(57)【特許請求の範囲】
【請求項１】
撮影部、位置情報取得部及び通信部を有し、ネットワークを介してデータを送受信可能な参加者の通信端末と、
通信部、演算部及び記憶部を有し、該通信端末との間でデータの送受信が可能な管理装置とを利用して生物情報を収集する生物情報収集方法において、
通信端末の撮影部により撮影された被写体の画像情報及び位置情報取得部により取得された通信端末の撮影位置情報を通信部により管理装置へ送信する情報送信ステップと、
管理装置の演算部により、管理装置の通信部において受信された撮影位置情報及び管理装置内の記憶部に記憶された地図情報の分割エリアに基づいて、撮影エリアを特定する撮影エリア特定ステップと、
管理装置の演算部により、管理装置において受信された画像情報を判定する画像判定ステップと、
管理装置の演算部により、撮影エリアを中心とした所定範囲のエリアについて、該所定範囲のエリアの情報を含むメッシュ情報テーブルと評価マスタとに基づいて、予め定められたスコアテーブルの規定より推奨スコアを算出する推奨スコア算出ステップと、
画像情報の判定結果及び推奨スコアに基づいて、推奨スコアが高い分割エリアを誘導エリアとして特定する誘導エリア特定ステップと、
少なくとも位置情報を含むエリアデータベースから、誘導エリア特定ステップにて特定した誘導エリアを識別する情報を取得する取得ステップと、
管理装置の通信部により、前記取得ステップにて取得した、誘導エリアを識別する情報を通信端末へ送信する誘導エリア提供ステップとを含み、これらのステップを繰り返すことを特徴とする生物情報収集方法。
【請求項２】
前記画像判定ステップにおいて、画像情報を判定してグループに分類し、受信された画像情報が同一の撮影エリアにおいて過去に受信された画像情報と異なるグループに属すると判定された場合、前記誘導エリア特定ステップにおいて、撮影エリアを誘導エリアに決定し、過去の撮影位置を次の撮影位置に決定することを特徴とする請求項１に記載の生物情報収集方法。
【請求項３】
前記誘導エリア特定ステップにおいて、誘導エリア内に過去の撮影位置がある場合、その撮影位置を次の撮影位置に決定することを特徴とする請求項１又は２に記載の生物情報収集方法。
【請求項４】
前記誘導エリア特定ステップにおいて、誘導エリア内に公園がある場合、公園を次の撮影位置に決定することを特徴とする請求項１ないし３のいずれかに記載の生物情報収集方法。
【請求項５】
前記推奨スコア算出ステップにおいて、緑被率の情報に基づいて、緑被率が高い分割エリアに高いスコアを付加して推奨スコアを算出することを特徴とする請求項１ないし４のいずれかに記載の生物情報収集方法。
【請求項６】
撮影部、位置情報取得部及び通信部を有し、ネットワークを介してデータを送受信可能である、参加者の通信端末と、
通信部、演算部及び記憶部を有し、該通信端末との間でデータの送受信が可能な管理装置とを利用して生物情報を収集する生物情報収集システムにおいて、
通信端末の撮影部により撮影された被写体の画像情報及び位置情報取得部により取得された通信端末の撮影位置情報を通信部により管理装置へ送信する情報送信手段と、
管理装置の演算部により、管理装置の通信部において受信された撮影位置情報及び管理装置内の記憶部に記憶された地図情報の分割エリアに基づいて、撮影エリアを特定する撮影エリア特定手段と、
管理装置の演算部により、管理装置において受信された画像情報を判定する画像判定手段と、
管理装置の演算部により、撮影エリアを中心とした所定範囲のエリアについて、該所定範囲のエリアの情報を含むメッシュ情報テーブルと評価マスタとに基づいて、予め定められたスコアテーブルの規定より推奨スコアを算出する推奨スコア算出手段と、
画像情報の判定結果及び推奨スコアに基づいて、推奨スコアが高い分割エリアを誘導エリアとして特定する誘導エリア特定手段と、
少なくとも位置情報を含むエリアデータベースから、誘導エリア特定手段にて特定した誘導エリアを識別する情報を取得する取得手段と、
管理装置の通信部により、前記取得手段にて取得した、誘導エリアを識別する情報を通信端末へ送信する誘導エリア提供手段とを含み、前記手段の操作を順次繰り返すことを特徴とする生物情報収集システム。
【請求項７】
前記推奨スコア算出手段において、緑被率の情報に基づいて、緑被率が高い分割エリアに高いスコアを付加して推奨スコアを算出することを特徴とする請求項６に記載の生物情報収集システム。
【発明の詳細な説明】
【技術分野】
【０００１】
本発明は、カメラ撮影機能及びＧＰＳ機能を備える携帯電話などの携帯通信端末を利用した生物情報収集方法及び生物情報収集方システムに関する。
【背景技術】
【０００２】
特別な知識や経験を持たない一般の参加者（協力者）による、生物の生態系や分布に関する情報を収集する試みがなされている。このような情報収集の一例として、参加者自ら、予め配布された調査用紙に採取物を添付して必要な情報を記載するという方法がある。この方法では、参加者が花などの実物を採取して予め配布された調査用紙に添付し、参加者自ら採取場所の位置情報（緯度や経度など）や日時、その他の情報を調べて記載し、実物が添付された調査用紙を郵送などによって調査機関へ送るという方法がある。
【０００３】
このような方法では、生物を実際に採取しなければならず、非常に手間が掛かる。あるいは写真を撮影したとしても、その写真を現像しなければならず面倒である。また、位置や時間など、採取場所の情報を参加者自らが調べて記載する必要があり、非常に面倒である。
このように、従来の方法では参加者に課せられる作業が非常に多く、一般の協力者の参加を妨げている。よって、一般の人であっても、より気軽に参加ができる方法が望まれていた。
【０００４】
また、上記の問題以外にも、取得できる情報が参加者の居住地域近辺の情報に偏りがちであり、情報収集（例えば、対象の撮影）地域の網羅性の担保が難しいという問題がある。
【０００５】
また、参加する意思があったとしても、どこで撮影できるかがわからなければ、無駄足は運びたくないという気持ちから、参加の意欲が湧かないという問題がある。
【０００６】
また、調査機関側からしても、収集された情報に応じた動的な収集指示が難しく、過去に集まった情報と異なる情報が得られた場合の追加収集を依頼したりすることができない。よって、参加者は自分の功績に応じたフィードバックを得られず、次第に参加意欲がなくなっていくことが懸念される。
【０００７】
ところで、携帯電話の撮影機能によって撮影された被写体の情報を特定する方法が特許文献１等に提案されている。しかし、このような方法を利用して、被写体の情報を収集できたとしても、それだけでは上記の問題の解決には繋がらない。
【先行技術文献】
【特許文献】
【０００８】
【特許文献１】特開２００５−１０８０２７号公報
【発明の概要】
【発明が解決しようとする課題】
【０００９】
上記のように、一般の参加者による生物の情報収集に関し、特別な知識や経験がない人であっても気軽に参加することができ、一部の区域に限定されず網羅的に有用な情報を収集できる方法が望まれている。
【００１０】
本発明は上記事情に鑑みてなされたものであり、推奨される情報収集区域の情報を参加者に提供することができ、一部の区域に限定されず網羅的に情報を収集することができる、生物情報収集方法及び生物情報収集システムを提供することを目的とする。
【課題を解決するための手段】
【００１１】
（１）本発明によれば、撮影部、位置情報取得部及び通信部を有し、ネットワークを介してデータを送受信可能な通信端末と、通信部、演算部及び記憶部を有し、該通信端末との間でデータの送受信が可能な管理装置とを利用して生物情報を収集する生物情報収集方法が提供される。
該生物情報収集方法は、通信端末の撮影部により撮影された被写体の画像情報及び位置情報取得部により取得された通信端末の撮影位置情報を通信部により管理装置へ送信する情報送信ステップと、管理装置の演算部により、管理装置の通信部において受信された撮影位置情報及び管理装置内の記憶部に記憶された地図情報の分割エリアに基づいて、撮影エリアを特定する撮影エリア特定ステップと、管理装置の演算部により、管理装置において受信された画像情報を判定する画像判定ステップと、管理装置の演算部により、撮影エリアを中心とした所定範囲のエリアについて推奨スコアを算出する推奨スコア算出ステップと、画像情報の判定結果及び推奨スコアに基づいて、推奨スコアが高い分割エリアを誘導エリアとして特定する誘導エリア特定ステップと、少なくとも位置情報を含むエリアデータベースから、誘導エリア特定ステップにて特定した誘導エリアを識別する情報を取得する取得ステップと、管理装置の通信部により、前記取得ステップにて取得した、誘導エリアを識別する情報を通信端末へ送信する誘導エリア提供ステップとを含むことを特徴とする。
【００１２】
上記構成からなる生物情報収集方法では、情報の取得が推奨される区域の情報を参加者に提供することができ、一部の区域に限定されず網羅的に情報を収集することができる、生物情報収集方法又は生物情報収集システムを提供することができる。
このような、生物情報収集方法によれば、一般の参加者による生物の情報収集に関し、特別な知識や経験がない人の参加を促すことができ、これにより網羅的かつ多くの有用な情報を収集することができる。
【００１３】
（２）本発明の一態様によれば、前記画像判定ステップにおいて、画像情報を判定してグループに分類し、受信された画像情報が同一の撮影エリアにおいて過去に受信された画像情報と異なるグループに属すると判定された場合、前記誘導エリア特定ステップにおいて、撮影エリアを誘導エリアに決定し、過去の撮影位置を次の撮影位置に決定する。
これにより、特定のエリアにおける生物の生態系や分布の変化の情報を収集することができる。
【００１４】
（３）また、本発明の一態様によれば、前記誘導エリア特定ステップにおいて、誘導エリア内に過去の撮影位置がある場合、その撮影位置を次の撮影位置に決定する。これにより、特定の地点における生物の生態系や分布の変化の情報を収集することができる。
【００１５】
（４）また、本発明の一態様によれば、前記誘導エリア特定ステップにおいて、誘導エリア内に公園がある場合、公園を次の撮影位置に決定する。公園は情報取得の対象となる生物が多く存在することが予想されるため、参加者は高い確率で対象の情報を取得することができる。
【００１６】
（５）また、本発明の一態様によれば、前記推奨スコア算出ステップにおいて、緑被率の情報に基づいて、緑被率が高い分割エリアに高いスコアを付加して推奨スコアを算出する。緑被率型が高いエリアでは、情報取得の対象となる生物が多く存在することが予想されるため、参加者は高い確率で対象の情報を取得することができる。
【００１７】
（６）また、本発明によれば、撮影部、位置情報取得部及び通信部を有し、ネットワークを介してデータを送受信可能な通信端末と、通信部、演算部及び記憶部を有し、該通信端末との間でデータの送受信が可能な管理装置とを利用して生物情報を収集する生物情報収集システムが提供される。
該生物情報収集システムは、通信端末の撮影部により撮影された被写体の画像情報及び位置情報取得部により取得された通信端末の撮影位置情報を通信部により管理装置へ送信する情報送信手段と、管理装置の演算部により、管理装置の通信部において受信された撮影位置情報及び管理装置内の記憶部に記憶された地図情報の分割エリアに基づいて、撮影エリアを特定する撮影エリア特定手段と、管理装置の演算部により、管理装置において受信された画像情報を判定する画像判定手段と、管理装置の演算部により、撮影エリアを中心とした所定範囲のエリアについて推奨スコアを算出する推奨スコア算出手段と、画像情報の判定結果及び推奨スコアに基づいて、推奨スコアが高い分割エリアを誘導エリアとして特定する誘導エリア特定手段と、少なくとも位置情報を含むエリアデータベースから、誘導エリア特定手段にて特定した誘導エリアを識別する情報を取得する取得手段と、管理装置の通信部により、前記取得ステップにて取得した、誘導エリアを識別する情報を通信端末へ送信する誘導エリア提供手段とを含むことを特徴とする。
【００１８】
上記構成からなる生物情報収集システムでは、情報の取得が推奨される区域の情報を参加者に提供することができ、一部の区域に限定されず網羅的に情報を収集することができる、生物情報収集方法又は生物情報収集システムを提供することができる。
このような、生物情報収集システムによれば、一般の参加者による生物の情報収集に関し、特別な知識や経験がない人の参加を促すことができ、これにより網羅的かつ多くの有用な情報を収集することができる。
【００１９】
（７）また、本発明の一態様によれば、前記推奨スコア算出手段において、緑被率の情報に基づいて、緑被率が高い分割エリアに高いスコアを付加して推奨スコアを算出する。緑被率型が高いエリアでは、情報取得の対象となる生物が多く存在することが予想されるため、参加者は高い確率で対象の情報を取得することができる。
【発明の効果】
【００２０】
本発明に係る生物情報収集方法又は生物情報収集システムによれば、情報の取得が推奨される区域の情報を参加者に提供することができ、一部の区域に限定されず網羅的に情報を収集することができる、生物情報収集方法又は生物情報収集システムを提供することができる。
このような、生物情報収集方法又は生物情報収集システムによれば、一般の参加者による生物の情報収集に関し、特別な知識や経験がない人の参加を促すことができ、これにより網羅的かつ多くの有用な情報を収集することができる。
【図面の簡単な説明】
【００２１】
【図１】本発明の実施形態に係る生物情報収集方法及びシステムの流れを説明する図である。
【図２】本発明の実施形態に係る生物情報収集方法及びシステムの各構成を説明する図である。
【図３】本発明の実施形態に係る生物情報収集方法の処理フロー図である。
【図４】レポートテーブルの一例。
【図５】タンポポの総包外片の例。
【図６】誘導エリアのメッシュの一例。
【図７】メッシュ情報テーブルの一例。
【図８】評価マスタテーブルの一例。
【図９】スコアテーブルの一例。
【図１０】メッシュ情報テーブルに含まれる情報の一例。
【符号の説明】
【００２２】
１    撮影部
２    位置情報取得部
３    通信部
４    通信端末
５    通信部
６    演算部
７    記憶部
８    管理装置
９    表示部
１０  入力部
１１  演算部
１２  ＧＰＳ衛星
１３  入力部
１４  表示部
【発明を実施するための形態】
【００２３】
以下に、実施形態に基づいて本発明を詳細に説明するが、これらの実施形態は本発明の理解を助けるために記載するものであって、本発明を記載された実施形態に限定するものではない。
【００２４】
本実施形態に係る生物情報収集方法は、撮影部１、位置情報取得部２及び通信部３を有し、ネットワークを介してデータを送受信可能な通信端末４と、通信部５、演算部６及び記憶部７を有し、該通信端末４との間でデータの送受信が可能な管理装置８とを利用して生物情報を収集する生物情報収集方法である。
【００２５】
該生物情報収集方法は、通信端末４の撮影部１により撮影された被写体の画像情報及び位置情報取得部２により取得された通信端末４の撮影位置情報を通信部３により管理装置８へ送信する情報送信ステップを含む。
【００２６】
該生物情報収集方法は、さらに、管理装置８の演算部６により、管理装置８の通信部５において受信された撮影位置情報及び管理装置８内の記憶部７に記憶された地図情報の分割エリアに基づいて、撮影エリアを特定する撮影エリア特定ステップを含む。
【００２７】
該生物情報収集方法は、さらに、管理装置８の演算部６により、管理装置８において受信された画像情報を判定する画像判定ステップを含む。管理装置８の演算部６により、撮影エリアを中心とした所定範囲のエリアについて推奨スコアを算出する推奨スコア算出ステップを含む。
【００２８】
該生物情報収集方法は、さらに、画像情報の判定結果及び推奨スコアに基づいて、推奨スコアが高い分割エリアを誘導エリアとして特定する誘導エリア特定ステップを含む。
【００２９】
該生物情報収集方法は、少なくとも位置情報を含むエリアデータベースから、誘導エリア特定ステップにて特定した誘導エリアを識別する情報を取得する取得ステップを含む。
【００３０】
該生物情報収集方法は、さらに、管理装置８の通信部５により、前記取得ステップにて取得した、誘導エリアを識別する情報を通信端末４へ送信する誘導エリア提供ステップとを含む。
【００３１】
先ず、本実施形態に係る生物情報収集方法及び生物情報収集システムの概要について説明する。
なお、本実施形態においては、カメラ機能及びＧＰＳ（グローバル・ポジショニング・システム  （Ｇｌｏｂａｌ  Ｐｏｓｉｔｉｏｎｉｎｇ  Ｓｙｓｔｅｍ）、全地球測位システム）情報取得機能を備える携帯電話を利用して、特別な知識を有さない、訓練されていないボランティア参加者からタンポポ（在来種及び外来種）の情報を募る場合について説明する。
【００３２】
図１に示すように、採取段階において、参加者は携帯電話（通信端末４）のカメラ機能（撮影部１）などを利用してタンポポの画像を撮影する。ここで、携帯電話に備えられたＧＰＳ情報取得機能（位置情報取得部２）により、緯度や経度を含む撮影地点の位置情報を取得する。
【００３３】
次に、送付段階において、携帯電話のメール機能などを利用して通信部３からネットワーク網を介して管理装置８（管理サーバ）へ撮影したタンポポの画像及び撮影地点の位置情報（撮影位置情報）を送信する。ここで、対象となるタンポポが見つからなかった場合でも、位置情報のみを送信してもよい。このばあい、当該情報は位置情報が取得された地点において対象（タンポポ）がないという情報（ＯＦＦ情報）となり保存される。
【００３４】
蓄積段階において、管理装置８の通信部５において受信された画像情報及び撮影位置情報はＤＢサーバ（記憶部７）などに格納される。管理装置８においては、ＤＢサーバに格納された管理情報、画像情報、撮影位置情報、日時情報などに基づいて、生物情報が管理される。
【００３５】
次回誘導撮影地点の選定段階において、ＤＢサーバに蓄積された情報や衛星画像から抽出された緑被率の情報に基づいて、分割されたエリア毎に、次に撮影を行う価値の高い誘導エリアが選定される。また、誘導エリア内の撮影地点をさらに特定する。
【００３６】
そして、誘導段階において、上記撮影地点の情報がメールなどによって携帯電話へ送信される。当該メールに含まれる誘導エリアの情報は、住所や地図の画像、あるいは地図情報サーバへのリンクである。
【００３７】
メールを受信した参加者は、特別な知識や経験がなくても、次に撮影を行う価値のある地点の情報を得ることができる。また、情報収集を行う側からしても、一部の区域に限定されず網羅的かつ多くの有用な情報を収集することができる。
【００３８】
なお、緑被率は、衛星画像から取得した緑被率に基づいて決定される。
衛星画像の各画素の可視域赤の反射率をR、近赤外域の反射率をIRとすると、植物の活性度を表す正規化植生指標（NDVI）を下記の式で求めることができる。
NDVI=(IR-R)/(IR+R)
NDVIは-1から1の間に正規化され、この値が1に近いほど植物の活性度が高い。これを十分に解像度の高い衛星の画像で算出した場合、NDVIが1に近い画素ほど緑被の可能性が高いと判断することができる。そこでNDVIの閾値を設けることで衛星画像の画素を緑被または非緑被に分類し、エリア内の緑被と判定された画素数をエリア内の総画素数で除することでエリアの緑被率を算出することができる。
【００３９】
次に、本実施形態に係る生物情報収集方法及び生物情報収集システムの各構成について説明する。
図２に示すように、通信端末４（携帯電話）は、被写体の撮影が可能な撮影部１（カメラ機能）、ＧＰＳ衛星１２から撮影地点の位置情報を取得可能な位置情報取得部２、ネットワークに接続して他の装置との間でデータ（画像情報、位置情報、誘導情報）を送受信可能な通信部３、画像などの情報を表示可能な液晶表示装置などの表示部９、情報の入力が可能なダイアルボタンなどの入力部１０、計算を行う演算部１１を備える。
【００４０】
なお、通信端末４は、撮影機能、通信機能及び位置情報取得機能を備えているものであれば、モバイル・パーソナル・コンピュータなどの装置であってもよい。
【００４１】
管理装置８は、ネットワークに接続して携帯電話との間でデータ（画像情報、位置情報、誘導情報）を送受信可能な通信部５、演算部６、管理情報、画像情報、撮影位置情報、日時情報などを格納する記憶部７（ＤＢサーバ）、キーボードやマウスなどの入力部１３、表示部１４を備える。
【００４２】
管理装置８は、データセンターなどに設置されるサーバなどであり、記憶部７は外部記憶装置として、管理装置８とは別個に用意されてもよい。また、管理装置８を制御するための装置を別個設けてもよい。
【００４３】
次に、本実施形態に係る生物情報収集方法の各ステップについて図３のフロー図を用いて説明する。
【００４４】
管理装置８において、携帯電話から画像情報及び撮影位置情報を含むメールの受付を行う（Ｓ１００）。メール情報から撮影位置情報を抽出する（Ｓ１０２）。画像情報及び撮影位置情報などの情報は、図４に示すようなレポートテーブルとして記憶部７に格納される。
レポートテーブルは、例えば年度毎に分類され、本年度のテーブルと昨年度以前のテーブルを比較することができる。
【００４５】
記憶部７に格納された地図情報に基づいて、撮影された地点の分割エリア（メッシュ）を決定する（Ｓ１０４）。分割エリアは、例えば、500ｍ毎に分割された区域である（2分の1地域メッシュ）。
【００４６】
次に、タンポポの種の自動判別（Ｓ１０６）を行う。タンポポには、在来種と外来種が存在し、総包外片が上向き（在来種）か下向き（外来種）かによって判別することができる（図５）。このようなタンポポの種の自動判別は、上記の特徴をもとに既存の画像認識技術を利用して自動認識することができる。
あるいは、このような判別作業は人が視認することにより行ってもよい。
【００４７】
次にレポートテーブルの情報を利用して、同一メッシュで過去に観測された種との比較を行う（Ｓ１０８）。ここで、撮影された種が過去に観測された種と同種であれば、所定の範囲でのメッシュを決定する（Ｓ１１０）。
【００４８】
所定の範囲とは、例えば、図６（ａ）のように、撮影エリアのメッシュの辺に接する辺を有するメッシュ及び撮影エリアのメッシュの頂点に接する頂点を有するメッシュとした場合、所定の範囲に属するメッシュは８つ存在する。ここで、所定の範囲に属するメッシュは、撮影エリアのメッシュに隣接するメッシュ、及びこれらのメッシュのうち２つのメッシュに隣接するメッシュとして規定されてもよい。
あるいは、図６（ｂ）のように、所定範囲をさらに広げて、２４のメッシュを所定の範囲としても良い。
【００４９】
次に、メッシュスコアを算出する（Ｓ１１２）。ここで、撮影されたメッシュの所定範囲でのメッシュ（８つ）について、図７に示すようなメッシュ情報テーブルと図８に示すような評価マスタに基づくスコアテーブルの値（図９）を用いてメッシュスコアを算出する。
また、メッシュ情報テーブルには、例えば図１０に示すようなメッシュのＩＤ（メッシュコード）、名称、位置情報（住所）、地図の画像、地図情報サーバへのリンクが含まれる。
【００５０】
例えば、周囲メッシュのメッシュスコアは、緑被率スコア、本年度観測スコア、過去観測スコア、種の揺らぎスコア及び本年度ＯＦＦスコアの合計として算出される。
【００５１】
そして、最高スコアのメッシュを誘導対象メッシュに決定する（Ｓ１１４）。
【００５２】
次に、誘導対象メッシュに過去の観測点はあるか判断する（Ｓ１１６）。誘導対象メッシュに過去の観測点がない場合には、誘導対象メッシュ内に公園はあるか判断する（Ｓ１１８）。
【００５３】
また、誘導対象メッシュに過去の観測点がある場合には、過去の観測点を次回誘導撮影地点に決定する（Ｓ１３０）。ここで、過去に観測された地点は「少なくとも観測可能な地形である」可能性が高いため。同一メッシュ内でもビル群の中心や池の中心など、観測される可能性の低い場所への誘導を避けることができる。
【００５４】
また、誘導対象メッシュ内に公園はあるか判断した結果、誘導対象メッシュ内に公園がある場合には、公園を次回誘導撮影地点に決定する（Ｓ１３２）。なお、このようなメッシュ毎の情報は上記メッシュ情報テーブルに含まれている。
【００５５】
次に、誘導対象メッシュ内で任意に次回誘導撮影地点を決定する（Ｓ１２０）。
そして、次回誘導メールの作成を行い（Ｓ１２２）、携帯電話へのメール送信を行う（Ｓ１２４）。
【００５６】
なお、レポートテーブルの情報を利用して、同一メッシュで過去に観測された種との比較を行った結果（Ｓ１０８）、撮影された種が過去に観測された種と異種であれば、現在撮影しているメッシュを誘導対象メッシュに決定（Ｓ１２６）し、過去の観測点を次回誘導撮影地点に決定する（Ｓ１２８）。
そして、次回誘導メールの作成を行い（Ｓ１２２）、携帯電話へのメール送信を行う（Ｓ１２４）。
【００５７】
また、誘導エリア近辺の異種比率を詳細に知るために、少なくともそのメッシュを細分化し、細分化したエリア毎に紹介するようにしてもよい。或いは多くの人に紹介し、異種情報を入手することで、異種比率を算出することもできる。そのためには、図７のメッシュ情報テーブルで、誘導メッシュ当たりの紹介人数と既紹介人数を設定し、紹介人数を上げることも可能である。
また、異種として、在来種、外来種ばかりでなく、通年の咲いている日時と違うケースもゆらぎ情報、異種情報として誘導対象メッシュにすることも可能である。具体的には、メッシュ情報テーブルに開花期間を項目情報として持つように設定し、当該期間外に咲いていることが確認されたら、当該エリアを誘導対象メッシュとする。
【００５８】
なお、本実施形態の一態様として、前記画像判定ステップにおいて、画像情報を判定してグループに分類し、受信された画像情報が同一の撮影エリアにおいて過去に受信された画像情報と異なるグループに属すると判定された場合、前記誘導エリア特定ステップにおいて、撮影エリアを誘導エリアに決定し、過去の撮影位置を次の撮影位置に決定するようにしてもよい。
これにより、特定のエリアにおける生物の生態系や分布の変化の情報を収集することができる。
【００５９】
なお、本実施形態の一態様として、前記誘導エリア特定ステップにおいて、誘導エリア内に過去の撮影位置がある場合、その撮影位置を次の撮影位置に決定するようにしてもよい。これにより、特定の地点における生物の生態系や分布の変化の情報を収集することができる。
【００６０】
なお、本実施形態の一態様として、前記誘導エリア特定ステップにおいて、誘導エリア内に公園がある場合、公園を次の撮影位置に決定するようにしてもよい。公園は情報取得の対象となる生物が多く存在することが予想されるため、参加者は高い確率で対象の情報を取得することができる。
【００６１】
なお、本実施形態の一態様として、前記推奨スコア算出ステップにおいて、緑被率の情報に基づいて、緑被率が高い分割エリアに高いスコアを付加して推奨スコアを算出するようにしてもよい。緑被率型が高いエリアでは、情報取得の対象となる生物が多く存在することが予想されるため、参加者は高い確率で対象の情報を取得することができる。
【００６２】
また、本発明によれば、撮影部１、位置情報取得部２及び通信部３を有し、ネットワークを介してデータを送受信可能な通信端末４と、通信部５、演算部６及び記憶部７を有し、該通信端末４との間でデータの送受信が可能な管理装置８とを利用して生物情報を収集する生物情報収集システムが提供される。
【００６３】
該生物情報収集システムは、通信端末４の撮影部１により撮影された被写体の画像情報及び位置情報取得部２により取得された通信端末４の撮影位置情報を通信部３により管理装置８へ送信する情報送信手段を含む。
【００６４】
該生物情報収集システムは、管理装置８の演算部により、管理装置８の通信部において受信された撮影位置情報及び管理装置８内の記憶部に記憶された地図情報の分割エリアに基づいて、撮影エリアを特定する撮影エリア特定手段を含む。
【００６５】
該生物情報収集システムは、管理装置８の演算部６により、管理装置８において受信された画像情報を判定する画像判定手段を含む。
【００６６】
該生物情報収集システムは、管理装置８の演算部６により、撮影エリアを中心とした所定範囲のエリアについて推奨スコアを算出する推奨スコア算出手段を含む。
【００６７】
該生物情報収集システムは、画像情報の判定結果及び推奨スコアに基づいて、推奨スコアが高い分割エリアを誘導エリアとして特定する誘導エリア特定手段を含む。
【００６８】
該生物情報収集システムは、少なくとも位置情報を含むエリアデータベースから、誘導エリア特定手段にて特定した誘導エリアを識別する情報を取得する取得手段を含む。
【００６９】
該生物情報収集システムは、管理装置８の通信部５により、前記取得ステップにて取得した、誘導エリアを識別する情報を通信端末４へ送信する誘導エリア提供手段を含む。
【００７０】
上記構成からなる生物情報収集システムでは、情報の取得が推奨される区域の情報を参加者に提供することができ、一部の区域に限定されず網羅的に情報を収集することができる、生物情報収集方法又は生物情報収集システムを提供することができる。
このような、生物情報収集システムによれば、一般の参加者による生物の情報収集に関し、特別な知識や経験がない人の参加を促すことができ、これにより網羅的かつ多くの有用な情報を収集することができる。
【００７１】
本発明に係る生物情報収集方法及び生物情報収集システムでは、参加者から随時集まる情報（写真、位置情報、タンポポの種別）と、衛星データから得られる緑被率（タンポポの観測が期待できる地域）、過去に収集された情報（過去に観測された位置、過去に観測された種、メッシュ内での観測種の揺らぎ）に基づいて本年度観測されていない地域に観測者を誘導する事ができるため、情報収集地域の網羅性を向上させることができる。
【００７２】
また、衛星から得られた緑被率が高い地域、過去に撮影された地域を「本年度もタンポポの観測が期待できる地域」として参加者を誘導することができるため、観測が期待される場所へ誘導することで一般の人の参加を容易にする。
【００７３】
また、例えば、撮影されたタンポポの種（在来種、外来種）を画像認識技術により自動判別し、本年、過去の観測データと異なる種が得られた場合は種の混在、分布の境界地域として情報の追加収集自動で依頼することにより、動的な追加収集を指示することができる。
【００７４】
なお、本発明において、情報取得の対象となる生物は動物、虫、草や木や花などの植物等を含む。
【００７５】
また、送信された被写体の画像が不鮮明な場合には、再度の撮影依頼が行くようにしてもよい。
【００７６】
以上説明したように、本発明に係る生物情報収集方法又は生物情報収集システムによれば、情報の取得が推奨される区域の情報を参加者に提供することができ、一部の区域に限定されず網羅的に情報を収集することができる、生物情報収集方法又は生物情報収集システムを提供することができる。
このような、生物情報収集方法又は生物情報収集システムによれば、一般の参加者による生物の情報収集に関し、特別な知識や経験がない人の参加を促すことができ、これにより網羅的かつ多くの有用な情報を収集することができる。
【図１】
0005542520.tif 000002
【図２】
0005542520.tif 000003
【図３】
0005542520.tif 000004
【図４】
0005542520.tif 000005
【図５】
0005542520.tif 000006
【図６】
0005542520.tif 000007
【図７】
0005542520.tif 000008
【図８】
0005542520.tif 000009
【図９】
0005542520.tif 000010
【図１０】
0005542520.tif 000011